(57)【要約】【課題】入浴者や車椅子の荷重で段差が生じることがなく、水はけが良くて、汚れが溜まり難く、清掃も容易な浴室用床台を提供する。【解決手段】浴室用床台１は、高さ調整可能な２本の支持脚５を有する梁状のベース材４および３個のベース材４によって略水平状態に保持された矩形板状のサポート材３からなるテーブル状の床架台２と、床架台２の上面を覆う平面視矩形状の表面カバー６とを備え、サポート材３および表面カバー６の長手方向の一方の端部には端部カバー７が取り付けられ、他方の端部には手掛かり８ａの付いた端部カバー８が取り付けられる。また、表面カバー６の上面は、サポート材３の長辺方向３Ｌと略平行な稜線Ｒを短辺方向３Ｓの中央部分に有する山形状をなしている。【選択図】  図２
2005240514.tif 000002
【特許請求の範囲】
【請求項１】
平面視形状が矩形状のサポート材を複数のベース材で略水平に支持して形成された床架台と、前記床架台の上部を覆う表面カバーとを備えた浴室用床台において、前記サポート材上面全体を前記表面カバーで覆い、前記表面カバーの上面が、前記サポート材の長辺方向に稜線を有する山形状としたことを特徴とする浴室用床台。
【請求項２】
前記表面カバーを、その短辺方向の中央部および端部に設けた係止手段で前記サポート材に固定したことを特徴とする請求項１記載の浴室用床台。
【請求項３】
前記表面カバーの短辺方向の端部に、当該表面カバー上面の傾斜角度よりも急角度をなす下り勾配面を設けたことを特徴とする請求項１または２記載の浴室用床台。
【請求項４】
前記表面カバーの上面に、滑り止め用の複数の凸部を形成し、前記凸部の間に流入した水を途切れさせずに一時捕水できる状態にする流路を当該表面カバー端部に連続させて形成し、前記表面カバーの上面で水玉を形成した残水は、前記流路内に一時捕水されている水と接触することで前記流路から前記表面カバー端部に途切れることなく排水されることを特徴とする請求項１〜３のいずれかに記載の浴室用床台。
【発明の詳細な説明】
【技術分野】
【０００１】
本発明は、一般住宅の浴室内の洗い場床面に、段差解消などを目的として設置される浴室用床台に関する。
【背景技術】
【０００２】
一般住宅の浴室の出入り口と洗い場床面との間にある段差は、身体の不自由な人あるいは老人などが入浴する際の障害となるため、それを解消する手段として、洗い場床面に設置する様々な浴室用床台が開発されている。従来の浴室用床台としては、高さ調整用の脚を備えた支持基材を浴室の床面に複数配置し、これらの支持基材の両側へ突き出した受部に支持材の端部を係着して支持基材間に支持材を掛け渡し、その上を表面材で覆うとともに、表面材を支持基材および支持材に被着して形成されるものがある（例えば、特許文献１参照。）。
【０００３】
また、従来の浴室用床台として、床板と、この床板を支持する高さ調節可能な支持脚とからなるスノコにおいて、床板の裏面側に溝が形成され、支持脚は溝に沿って移動可能に設置されたナット状部材と、ナット状部材へねじ接続されたアジャスト部材とで構成されたものがある（例えば、特許文献２参照。）。
【０００４】
【特許文献１】特開平１１−１３１７５４号公報（第３−８頁）
【特許文献２】特開２００２−３０６３５４号公報（第３−５頁）
【発明の開示】
【発明が解決しようとする課題】
【０００５】
特許文献１に記載の床台（二重床構造）は、複数の支持材を支持基材で連結した構造であるため、床台上を歩行する入浴者の足の踏み場によっては、その体重が一つの支持材に集中して大きく撓むことがある。また、車椅子で入浴した場合も、その車輪が一つの支持材上に位置すると、重量がその支持材に集中して大きく撓むことがある。このように一つの支持材に荷重が集中するとその支持材が大きく撓むため、隣り合う支持材との間に段差が生じ、入浴者が躓いたり、車椅子の移動の妨げとなったりすることがある。
【０００６】
さらに、特許文献１に記載の床台（二重床構造）の場合、支持基材に複数の支持材を掛け渡して固定した構造であるため、隣り合う表面材同士の隙間に汚れが溜まりやすいだけでなく、これらの隙間部分の清掃が困難である。
【０００７】
一方、特許文献２に記載の床台（スノコ）も隙間があるため、車椅子で乗り込むとがたついたり、移動の妨げとなったりすることが多い。また、高齢者など歩行困難な者は、隙間で躓きやすく、不安感を持つことがある。また、これらの隙間には、体毛や垢などが侵入しやすく、清掃も困難である。
【０００８】
本発明が解決しようとする課題は、入浴者や車椅子の荷重で段差が生じることがなく、水はけが良くて、汚れが溜まり難く、清掃も容易な浴室用床台を提供することにある。
【課題を解決するための手段】
【０００９】
本発明の浴室用床台は、平面視形状が矩形状のサポート材を複数のベース材で略水平に支持して形成された床架台と、床架台の上部を覆う表面カバーとを備えた浴室用床台において、サポート材上面全体を表面カバーで覆い、表面カバーの上面が、サポート材の長辺方向に稜線を有する山形状としたことを特徴とする。
【００１０】
このような構成とすることにより、床架台の上部は隙間のない表面カバーで覆われた状態となるため、入浴者や車椅子の荷重で段差が生じることがなく、汚れが溜まり難く、清掃も容易となる。また、表面カバーの上面は、サポート材の長辺方向に稜線を有する山形状であるため、表面カバー上面の水は、その傾斜面に沿って流れることとなり、水はけも良好であり、洗い場床面の広さに合わせてサポート材の長辺方向のサイズをカットして調整した場合も、山形状の傾斜面を確保することができるため、表面カバー上面の水は、その傾斜面に沿って流れることとなり、良好な水はけ性を維持することができる。なお、表面カバーの上面の傾斜は特に限定するものではないが、１／５０程度であることが望ましい。
【００１１】
一方、表面カバーを、その短辺方向の中央部および端部に設けた係止手段でサポート材に固定することが望ましい。このような構成とすれば、表面材およびサポート材の成形過程での反り、あるいは表面材上面に荷重の付加・解除が反復された場合の材料疲労で生じる表面材とサポート材との隙間（浮き上がり）を効率的に抑制して固定することが可能となるため、ガタツキの発生を防止することができる。
【００１２】
また、表面カバーの短辺方向の端部に、当該表面カバー上面の傾斜角度よりも急角度をなす下り勾配面を設けることもできる。このような構成とすれば、表面カバーの上面の最下部分である短辺方向の端部における水捌けがさらに向上する。
【００１３】
さらに、表面カバーの上面に、滑り止め用の複数の凸部を形成し、凸部の間に流入した水を途切れさせずに一時捕水できる状態にする流路を当該表面カバー端部に連続させて形成し、表面カバーの上面で水玉を形成した残水は、流路内に一時捕水されている水と接触することで流路から表面カバー端部に途切れることなく排水される構成とすることもできる。このような構成とすることにより、入浴者に対する滑り止め効果および残水による濡れ防止効果が得られ、表面カバー上面を短時間で乾燥させることができるようになる。
【発明の効果】
【００１４】
本発明により、以下に示す効果を奏することができる。
【００１５】
（１）平面視形状が矩形状のサポート材を複数のベース材で略水平に支持して形成された床架台と、床架台の上部を覆う表面カバーとを備えた浴室用床台において、サポート材上面全体を表面カバーで覆い、表面カバーの上面が、サポート材の長辺方向に稜線を有する山形状としたことにより、入浴者や車椅子の荷重で段差が生じることがなくなり、水捌けが良好で、汚れが溜まり難く、清掃も容易となる。
【００１６】
（２）表面カバーを、その短辺方向の中央部および端部に設けた係止手段でサポート材に固定することにより、表面材およびサポート材の成形過程での反り、あるいは材料疲労で生じる表面材とサポート材との隙間（浮き上がり）を効率的に抑制して固定することが可能となるため、ガタツキの発生を防止することができる。
【００１７】
（３）表面カバーの短辺方向の端部に、当該表面カバー上面の傾斜角度よりも急角度をなす下り勾配面を設ければ、表面カバーの上面の最下部分である短辺方向の端部における水捌けがさらに向上する。
【００１８】
（４）表面カバーの上面に、滑り止め用の複数の凸部を形成し、凸部の間に流入した水を途切れさせずに一時捕水できる状態にする流路を当該表面カバー端部に連続させて形成し、表面カバーの上面で水玉を形成した残水は、流路内に一時捕水されている水と接触することで流路から表面カバー端部に途切れることなく排水される構成とすることにより、入浴者に対する滑り止め効果および残水による濡れ防止効果が得られ、表面カバー上面を短時間で乾燥させることができる。
【発明を実施するための最良の形態】
【００１９】
以下、図面に基づいて、本発明の実施の形態である浴室用床台について説明する。図１は本発明の実施の形態である浴室用床台の設置状態を示す斜視図、図２は図１に示す浴室用床台の分解斜視図、図３は図１に示す浴室用床台の平面図、図４は図３におけるＡ−Ａ線断面図である。
【００２０】
図１に示すように、本実施形態の浴室用床台１は、その複数個を浴室の洗い場床面Ｆ１に並べて全面的に設置することにより、浴室の出入口床面Ｆ２と洗い場床面Ｆ１との段差Ｄをなくすことができるものである。
【００２１】
図２，図３に示すように、浴室用床台１は、高さ調整可能な２本の支持脚５を有する梁状のベース材４および３個のベース材４によって略水平状態に保持された矩形板状のサポート材３からなるテーブル状の床架台２と、床架台２の上面を覆う矩形状の表面カバー６とを備え、サポート材３の長辺方向３Ｌの一方の端部には端部カバー７が取り付けられ、他方の端部には手掛かり部８ｃの付いた端部カバー８が取り付けられる。
【００２２】
このような構成とすることにより、床架台２の上部が表面カバー６で全面的に覆われた状態となるため、入浴者の体重などにより表面カバー６に加わる荷重は表面カバー６の全体に分散して伝わることとなる。このため、荷重が集中してもその一部だけが撓むことがなくなり、段差が生じることがない。また、床架台２の上面は表面カバー６で全面的に覆われているため、汚れが溜まり難く、清掃も容易である。
【００２３】
図２に示すように、平面視形状が矩形をしたサポート材３は、合成樹脂材の一つであるポリ塩化ビニルを押出成形して形成したものであり、洗い場床面Ｆ１の広さに合わせてカットすることにより長辺方向３Ｌのサイズを調節したものである。図４に示すように、サポート材３の断面形状は、厚さ２ｍｍ程度の周壁で構成された中空体であり、外観形状は矩形板状をなしている。サポート材３の内部には厚さ方向に複数の補強リブ３ａを設けることによって強度を高めている。
【００２４】
図４に示すように、浴室用床台１において、サポート材３の上面を全面的に覆う表面カバー６の上面は、サポート材３の長辺方向３Ｌと略平行な稜線Ｒ（図２，図３参照）を、短辺方向３Ｓの中央部分に有する山形状をなしている。したがって、表面カバー６の上面の水は、その傾斜面に沿って流れることとなり、水はけも良好である。本実施形態では、表面カバー６の上面の傾斜Ｋを約１／５０としているため、表面カバー６の上面に乗る入浴者や車椅子に不安定感を与えることなく良好な水捌け性を確保することができる。
【００２５】
また、サポート材３の上面の短辺方向３Ｓの中央部分には長辺方向３Ｌと平行な溝部３ｃが設けられ、サポート材３の下面には長辺方向３Ｌと平行な３本の溝３ｄが設けられている。溝部３ｃは、深くなるにつれて拡幅した断面形状となっている。サポート材３の両側面の上方には、表面カバー６を係止するための取付部３ｅが形成されている。
【００２６】
図５に示すように、表面カバー６の短辺方向３Ｓの中央部分の下面には、突出するとともに先端部に幅方向に突出した爪部６ａを有する一対の突き出し部６ｂが設けられ、短辺方向３Ｓの両端部分にはそれぞれ下方に突き出した押さえ部６ｃが設けられている。
【００２７】
一対の突き出し部６ｂの幅方向の外寸法はサポート材３の上面にある溝部３ｃの上方部分の幅方向の内寸法と同一であり、突き出し部６ｂの突出長さは溝部３ｃの深さと略同一である。したがって、表面カバー６をサポート材３の上面に装着したとき、突き出し部６ｂが、サポート材３の溝部３ｃに係合されることによって、表面カバー６の中央部分がサポート材３の中央部分に固定される。
【００２８】
また、表面カバー６の短辺方向３Ｓの両端部分の押さえ部６ｃ同士の内寸法は、サポート材３の短辺方向３Ｓの外寸法と同一であり、押さえ部６ｃに貫設された貫通孔６ｄに挿通したビス１０によって押さえ部６ｃがサポート材３の側面に固定される。
【００２９】
これにより、床台１を構成するサポート材３および表面カバー６の幅方向の寸法精度が良くない場合、表面カバー６の突き出し部６ｂがサポート材３の溝部３ｃに係合することによって生じる表面カバー６の押さえ部６ｃとサポート材３の側面との隙間を均等に２分することができるとともに、貫通孔６ｄに挿通するビス１０の締め付け力により、前記隙間をなくした状態で固定することができる。
【００３０】
なお、サポート材３とベース材４とは、図４に示すように、サポート材３の下面に長辺方向３Ｌと平行に設けられた３本の溝３ｄに対し、ベース材４の下面側から螺入させたビス１１によって固定されている。サポート材３の下面には溝３ｄを設けているため、ビス１１の位置合わせが容易であり、確実な結め付けを行うことができ、溝部３ｄの肉厚はその周辺部分より厚肉としているため強い締結力を得ることができる。
【００３１】
また、表面カバー６の短辺方向３Ｓの端部には、当該表面カバー６の上面の傾斜Ｋよりも急角度をなす下り勾配面１２を設けている。このような下り勾配面１２を設けたことにり、表面カバー６の上面の最下部分である短辺方向３Ｓの端部における水捌けがさらに向上する。
【００３２】
さらに、図６に示すように、表面カバー６の上面には、滑り止め用の複数の凸部６ｐを形成し、凸部６ｐの間に流入した水を途切れさせずに一時捕水できる状態にする流路６ｑを当該表面カバー６の端部に連続させて形成している。そして、表面カバー６の上面で水玉を形成した残水は、流路６ｑ内に一時捕水されている水と接触することで流路６ｑから表面カバー６の端部に途切れることなく排水されるようにしている。
【００３３】
このように、表面カバー６の上面に複数の凸部６ｐおよび流路６ｑを設けることにより、入浴者に対する滑り止め効果が得られるだけでなく、表面カバー６の上面を短時間で乾燥させることが可能となり、残水による濡れ防止効果も得ることができる。
【００３４】
一方、図４で示すように、ベース材４の短辺方向３Ｓの両端面には、表面カバー６の幅よりも２〜４ｍｍ程度突出した当て部４ｈを設けているため、表面カバー６を床架台２の上面に取り付けて床台１を構成したとき、当て部４ｈが表面カバー６の両側部分から２〜４ｍｍ突き出した状態となる。したがって、図１で示したように、複数の床台１を洗い場床面Ｆ１に並べて設置するとき、隣り合う床台１の当て部４ｈ同士が当接することによって、隣り合う床台１の表面カバー６同士の間に強制的に４ｍｍ程度の隙間が形成される。このため、これらの隙間が床台１の上面を流れる湯水の排水経路として機能し、水捌けが良好となる。
【００３５】
図２に示す端部カバー７および手掛かり付き端部カバー８はいずれもポリプロピレンを射出成形して形成したものである。端部カバー７は、その長手方向の中央部分に２個および両端部分にそれぞれ１個の挿入部７ａと、上面から突出状に形成されたカバー部７ｂを備えている。手掛かり付き端部カバー８も同様に、４個の挿入部８ａとカバー部８ｂとを備え、その長さ方向の中央部分に手先が入る程度の大きさに凹んだ手掛かり部８ｃが設けられている。
【００３６】
カバー部７ｂ，８ｂはいずれも表面カバー６の上面端部を覆う形状であり、突き出し長さは５ｍｍ程度である。端部カバー７および手掛かり付き端部カバー８は、床架台２の長手方向の両端部にあるベース材４の端部受け部４ｆの補強リブで構成されるポケット部４ｊに挿入部７ａ，８ａを挿入し、底面２カ所および両側部２カ所の合計４カ所をビス止めすることによって固定される。
【００３７】
床台１の両端部分に端部カバー７、手掛かり付き端部カバー８を装着したことにより、サポート材３あるいは表面カバー６のカット部分に生じるバリやエッジなどを覆うことができる。したがって、清掃などの目的で床台１を持ち上げたときバリやエッジで怪我をするのを防止することができる。また、手掛かり付き端部カバー８には、手掛かり部８ｃがあるため、この手掛かり部８ｃに手先を挿入すれば床台１を簡単に持ち上げることができ、清掃作業性が良好である。
【産業上の利用可能性】
【００３８】
本発明の浴室用床台は、一般住宅の浴室における洗い場床面と出入口床面との段差解消手段として広く利用することができる。
【図面の簡単な説明】
【００３９】
【図１】本発明の実施の形態である浴室用床台の設置状態を示す斜視図である。
【図２】図１に示す浴室用床台の分解斜視図である。
【図３】図１に示す浴室用床台の平面図である。
【図４】図３におけるＡ−Ａ線断面図である。
【図５】図１に示す浴室用床台を構成する表面カバーの裏面側の斜視図である。
【図６】図１に示す浴室用床台を構成する表面カバーの一部拡大平面図である。
【図７】図６におけるＢ部分の拡大図である。
【符号の説明】
【００４０】
１  浴室用床台
２  床架台
３  サポート材
３ａ  補強リブ
３ｃ  溝部
３ｄ  溝
３ｅ  表面カバー取付部
３Ｌ  長辺方向
３Ｓ  短辺方向
４  ベース材
４ｈ  当て部
４ｊ  ポケット部
５  支持脚
６  表面カバー
６ａ  爪部
６ｂ  突き出し部
６ｃ  押さえ部
６ｄ  貫通孔
６ｐ  凸部
６ｑ  流路
７  端部カバー
７ａ，８ａ  挿入部
７ｂ，８ｂ  カバー部
８  手掛かり付き端部カバー
８ｃ  手掛かり部
１０，１１  ビス
１２  下り勾配面
Ｄ  段差
Ｆ１  洗い場床面
Ｆ２  出入り口床面
Ｒ  稜線
【図１】
2005240514.tif 000003
【図２】
2005240514.tif 000004
【図３】
2005240514.tif 000005
【図４】
2005240514.tif 000006
【図５】
2005240514.tif 000007
【図６】
2005240514.tif 000008
【図７】
2005240514.tif 000009